(57)【要約】【課題】  フレキシブルケーブルのループと記録媒体の接触の回避。【解決手段】  フレキシブルケーブルのループの下方に、上面にガイドリブが設けられているピンチローラホルダを配置する。【選択図】  図１
2007118436.tif 000002
【特許請求の範囲】
【請求項１】
記録手段を搭載したキャリッジがガイド部材に沿って移動することで被記録媒体に対して画像を記録する記録装置において、
前記記録手段に対する信号を少なくとも伝送し前記キャリッジの移動とともに変形するフレキシブルケーブルが、前記キャリッジの固定部と前記記録装置本体部の固定部との間はループ状をなしており、尚且つ前記キャリッジの上方に引き回されるとともに、フレキシブルケーブルをキャリッジ移動空間、つまり記録媒体が搬送され画像を記録する上側に配置するように構成され、
さらには、記録媒体を搬送するための搬送ローラと対向しているピンチローラを軸支し、上面の走査方向にガイドリブが設けられているピンチローラホルダとで構成されていて、
前記ピンチローラホルダのガイドリブは、前記フレキシブルケーブルが前記被記録媒体との接触を回避できるようにガイドされるように配置されていることを特徴とする記録装置。
【請求項２】
請求項１に記載の記録装置において、
上面の走査方向にガイドリブが設けられている独立した複数個のピンチローラホルダとで構成されていることを特徴とする記録装置。
【請求項３】
請求項２に記載の記録装置において、
独立した複数個のピンチローラホルダの上面ガイドリブ端部がR形状であることを特徴とする記録装置。
【発明の詳細な説明】
【技術分野】
【０００１】
本発明はインクジェット記録装置に関するものであり、さらには、キャリッジに搭載された記録ヘッドにインクを吐出するための電気信号や電力等を伝送するケーブルに関するものである。
【背景技術】
【０００２】
従来、記録ヘッドをキャリッジに搭載してキャリッジを移動しながら記録媒体上に記録を行なういわゆるシリアル記録装置では、記録装置本体から記録ヘッドに信号等を伝送する手段としてフレキシブルケーブルを用いることが多い。フレキシブルケーブルは薄いフィルム状をなしており、キャリッジの移動にともない屈曲するように可撓性を持っている。
【０００３】
このキャリッジに記録ヘッドが搭載されていて、キャリッジはガイドシャフトと摺動自在に嵌合しており、CRモータなどの駆動源により駆動されるベルトなどの駆動部材を介してガイドシャフトに沿って左右に往復移動する。フレキシブルケーブルは一端がキャリッジに固定されており、記録ヘッドと電気的に接続されている。また、フレキシブルケーブルの他端はガイドシャフトや駆動源が保持されている枠体のフレームに固定されており、記録装置本体のコントロール基板に接続されている。フレキシブルケーブルのキャリッジの固定部とフレームの固定部との間はループ状をなしており、キャリッジが往復移動するにともないループの大きさを変えながら信号等の伝送を行なう。
【０００４】
この記録手段に接続されたフレキシブルケーブルが装置自体の小型化のためキャリッジの上方で引き回されるように構成されているものがある。（例えば、特許文献1参照）
そしてさらには、フレキシブルケーブルをキャリッジ移動空間、つまり記録媒体が搬送され画像を記録する上側に配置されると、記録装置本体を一層の小型化が図れる。
【特許文献１】特開2000-272194号公報
【発明の開示】
【発明が解決しようとする課題】
【０００５】
このような上記従来例に於いては、キャリッジの往復移動に伴ってフレキシブルケーブルのループの大きさが変化するが、フレキシブルケーブルのループが大きくなったときには以下のような問題が発生する。
【０００６】
フレキシブルケーブルは、若干の腰の強さは持っているもののループが大きくなってくると、フレキシブルケーブル自身の重さで下に垂れてくる現象が起きる。この状態に至ると、フレキシブルケーブルは、記録された記録媒体に接触する恐れがでてきて、インクジェットで記録されたものは、乾燥しにくいため、記録画像を汚す恐れがでてくる。また、記録媒体の搬送負荷となり、搬送不良の発生する可能性がある。
【０００７】
本発明の目的は、上記従来技術の課題を解決し、記録画像の品位を保つ記録装置を提供することにある。
【課題を解決するための手段】
【０００８】
本発明は、記録ヘッドを搭載したキャリッジがガイド部材に沿って移動することで被記録媒体に対して画像を記録する記録装置において、
記録ヘッドに対する信号等を伝送しキャリッジの移動とともに変形するフレキシブルケーブルが、キャリッジの固定部と記録装置本体部の固定部との間はループ状をなしており、尚且つ前記キャリッジの上方に引き回されるとともに、フレキシブルケーブルをキャリッジ移動空間、つまり記録媒体が搬送され画像を記録する上側に配置するように構成され、
さらには、記録媒体を搬送するための搬送ローラと対向しているピンチローラを軸支し、上面の走査方向にガイドリブが設けられているピンチローラホルダとで構成されていてピンチローラホルダのガイドリブは、フレキシブルケーブルが記録媒体との接触を回避できるようにガイドされるように配置されていることを特徴とする記録装置。
【発明の効果】
【０００９】
上記手段によれば、記録装置において、フレキシブルケーブルがピンチローラホルダの上面のガイドリブにガイドされるため、記録媒体の記録画像部分と接触することなく、記録媒体の搬送精度および記録画像の品位を保つことが安価で簡素な形態で記録装置を提供することができる。
【００１０】
また、キャリッジの往復移動に伴ってフレキシブルケーブルが接触し擦れる面に安定したピンチローラホルダのリブ形状がありガイドされるため、フレキシブルケーブルの接触摩擦によって生じるストレスを小さくすることができるため、断線や損傷などのない、フレキシブルケーブルの耐久性を高めることができるので、装置の信頼性が向上するという記録装置を提供することができる。
【発明を実施するための最良の形態】
【００１１】
（実施例１）
以下、図面を参照して本発明を具体的に説明する。
【００１２】
図１は、本発明を適用した記録装置の要部斜視図を示す。
【００１３】
図１において、キャリッジ２には記録ヘッドカートリッジ１が搭載されており、記録ヘッドカートリッジ１にはフレキシブルケーブル３から信号等が伝送される。
【００１４】
フレキシブルケーブル３は一端がキャリッジ２に固定されており、記録ヘッドカートリッジ１と電気的に接続されている。また、フレキシブルケーブル３の他端は枠体のフレーム４に固定されており、記録装置本体のコントロール基板８に接続されている。フレキシブルケーブル３は薄いフィルム状をなしており、キャリッジ２の移動にともない屈曲するように可撓性を持っている。記録ヘッドカートリッジ１は記録ヘッドと、インクを収容するインクタンクとが一体的に構成され、キャリッジ２に対して着脱自在となっている。インクタンクは記録ヘッドから着脱可能な交換型インクタンクであってもよい。
【００１５】
キャリッジ２はガイドシャフト５と摺動自在に嵌合しており、CRモータ６により駆動されるベルト７によりガイドシャフト５に沿って左右に往復移動する。キャリッジ２はガイドシャフト５に支持されていることにより、記録媒体１３に対して記録ヘッドカートリッジ１のインクを噴出するノズルと記録媒体１３の表面との間の距離をほぼ一定に保っている。
【００１６】
一端がキャリッジ２に固定されたフレキシブルケーブル３は、キャリッジ２の上側に引き出され、記録媒体搬送経路にほぼ平行な長手の面に沿って配置され、この面上でキャリッジ２の移動にともなってループを形成する。キャリッジ２が往復移動するにともないループの大きさを変えながら信号等の伝送を行なう。そしてさらには、記録装置本体を一層の小型化が図るために、フレキシブルケーブル3をキャリッジ2移動空間、つまり記録媒体１３が搬送され画像を記録する上側に配置している。
【００１７】
次に、記録媒体１３を不図示の給紙装置により給紙され、記録媒体１３の前縁が噛み込む位置には、互いに対向する位置に、それぞれ回転可能に軸支された搬送ローラ９とピンチローラ１０が配設されている。
【００１８】
搬送ローラ９は、フレーム４の両側壁に形成された不図示の軸受け１１によって軸支されており、一方の端部にはＬＦギアが取り付けられ、このＬＦギア１２を介してＬＦモータ１４によって回転駆動される。ピンチローラ１０は、一端側にピンチローラ１０を軸支し、他端側でフレーム４の両側壁間に回転可能に軸支されたピンチローラホルダ１５に取り付けられている。ピンチローラホルダ１５は、回転付勢されており、それによって、ピンチローラ１０は、搬送ローラ９に押し付けられている。記録媒体１３が搬送ローラ９の回転によって搬送され、そして搬送ローラ９下流の経路下には、往復移動されるキャリッジ２上の記録ヘッドカートリッジ１の吐出口形成面に対向する位置にプラテン１６が設けられていて、記録ヘッドカートリッジ１の吐出口形成面が、プラテン１６上を搬送される記録媒体１３の記録面に平行になるようになっているように構成されている。
【００１９】
さらには、後に詳細は説明するが、ピンチローラホルダ１０上面には、ガイドリブ１７がキャリッジの走査方向に設けられている。
【００２０】
上記の各構成部品は、すべて不図示の制御装置によって制御されるもので、該制御装置の制御によって記録媒体（紙など）搬送動作および画像記録（印字）動作が行われる。
【００２１】
次に、図２は、本発明を適用した記録装置の要部側面図を示す。
【００２２】
図１で説明した、破線で示したフレキシブルケーブル３は側面からみた配置においては、ピンチローラホルダ１０上面のガイドリブ１７の上側に配置されている。
【００２３】
図３は、本発明を適用した記録装置のフレキシブルケーブル３のループ状態を示した正面図を示す。
【００２４】
図３（ａ）、図３（ｂ）、図３（ｃ）はそれぞれ、キャリッジ２が右端、中央、左端に位置している。
【００２５】
このとき、図３（ｂ）のキャリッジ２がほぼ中央に位置していると、フレキシブルケーブル３は、自重により垂れ下がり、記録媒体１３に近づく。しかし、図２の破線で示されたフレキシブルケーブル３ように、ピンチローラホルダ１０上面のガイドリブ１７にガイドされ、記録媒体１３には接触を回避できる。
【００２６】
尚且つ、キャリッジ２がガイドシャフト５に沿って移動すると、フレキシブルケーブル３が、ピンチローラホルダ１０のガイドリブ１７の上面にガイドされスムーズに案内されるため、フレキシブルケーブル３にかかるストレスを小さくできる。
【００２７】
なお、ピンチローラホルダ１０上面のガイドリブ１７の形状は本実施例の図に示されたような形状にとどまらず、各装置に合わせ最適な形状を適用することができる。もちろん、ガイドリブ１７はピンチローラホルダ１０の全域ではなく、フレキシブルケーブル３が近づく近傍にだけ設けられていてもよい。
【００２８】
また、本実施例の記録ヘッドカートリッジ１は記録ヘッドと一体のものとしているが、本発明はこれに限られたものでなく、例えば記録ヘッドが交換式でないいわゆるパーマネント記録ヘッドであっても交換式のインクタンク等の記録材収容部材を使用するものであれば本実施例と同様のことが行なえ、同等の効果を得ることができる。また本実施例はインクジェット記録装置を例に説明したが、熱転写方式などさまざまな記録装置に適用することができる。
【００２９】
（実施例２）
図４を参照して、本発明の第２の実施例を説明する。図４は本発明を適用した記録装置の要部斜視図である。
【００３０】
図４において、ピンチローラホルダＡ１８は、複数個のピンチローラ１０に対して、それぞれ対応していて分割されて独立した形状である。ピンチローラホルダＡ１８の上面にはガイドリブＡ１９が設けられている。そして、ガイドリブＡ１９の端部にはR形状が設けられておいる構成である。
【００３１】
キャリッジ２がほぼ中央に位置していると、フレキシブルケーブル３は、自重により垂れ下がり、記録媒体１３に近づく。しかし、フレキシブルケーブル３が、ピンチローラホルダＡ１８上面のガイドリブＡ１９にガイドされ、記録媒体１３には接触を回避できる。
【００３２】
尚且つ、キャリッジ２がガイドシャフト５に沿って移動すると、フレキシブルケーブル３が、夫々ピンチローラホルダＡ１８のガイドリブＡ１９の上面にガイドされてスムーズに案内され、さらには、夫々ピンチローラホルダＡ１８のガイドリブＡ１９端部にはR形状が設けられているので、フレキシブルケーブル３がピンチローラホルダＡ１８との繋目で引っ掛らず、フレキシブルケーブル3にかかるストレスを小さくできる。
【図面の簡単な説明】
【００３３】
【図１】本発明を適用した記録装置の要部斜視図。
【図２】本発明を適用した記録装置の要部側面図。
【図３】本発明を適用した記録装置のフレキシブルケーブルのループ状態を示した正面図。
【図４】本発明を適用した実施例２の記録装置の要部斜視図。
【符号の説明】
【００３４】
１  記録ヘッドカートリッジ
２  キャリッジ
３  フレキシブルケーブル
４  フレーム
５  ガイドシャフト
６  CRモータ
７  ベルト
８  コントロール基板
９  搬送ローラ
１０  ピンチローラ
１１  軸受け
１２  ＬＦギア
１３  記録媒体
１４  ＬＦモータ
１５  ピンチローラホルダ
１６  プラテン
１７  ガイドリブ
１８  ピンチローラホルダＡ
１９  ガイドリブＡ
【図１】
2007118436.tif 000003
【図２】
2007118436.tif 000004
【図３】
2007118436.tif 000005
【図４】
2007118436.tif 000006